(57)【要約】【課題】極めて簡単な操作で誰もが即座に折り畳んだり立体的に組み立てることができ、また、立体的に組み立てた状態の堅牢性を充分に維持することのできる折り畳み可能な引き出し・ケースと、引き出しをケース内に出し入れ自在に配置した折り畳み可能な収納箱を提供する。【解決手段】本考案に係る折り畳み可能な引き出しＡは、上方に開口部１を備えた箱体２の底面３が、底面３の対角線４に沿って分離可能である。また、折り畳み可能なケースＢは、側方に開口部２１を備えた箱体２２の開口部２１と対向する側面２３が、側面２３の対角線２４に沿って分離可能である。そして、折り畳み可能な収納箱Ｃは、上方に開口部１を備えた箱体２の底面３が、底面３の対角線４に沿って分離可能である引き出しＡと、側方に開口部２１を備えた箱体２２の開口部２１と対向する側面２３が、側面２３の対角線２４に沿って分離可能であるケースＢとから成り、引き出しＡをケースＢ内に出し入れ自在に配置している。【選択図】図１
0003108533.tif 000002
【実用新案登録請求の範囲】
【請求項１】
上方に開口部を備えた箱体の底面が、底面の対角線に沿って分離可能であることを特徴とする折り畳み可能な引き出し。
【請求項２】
箱体の底面の対角線に沿ってファスナーを配設し、ファスナーを介して底面が分離可能である請求項１に記載の折り畳み可能な引き出し。
【請求項３】
箱体の周面が、折り目を介して折曲・伸展可能である４つの側面により形成され、箱体を平らに折り畳んで、底面が周面を形成する各側面の内側に折り込まれる請求項１または２に記載の折り畳み可能な引き出し。
【請求項４】
側方に開口部を備えた箱体の開口部と対向する側面が、側面の対角線に沿って分離可能であることを特徴とする折り畳み可能なケース。
【請求項５】
箱体の開口部と対向する側面の対角線に沿ってファスナーを配設し、ファスナーを介して側面が分離可能である請求項４に記載の折り畳み可能なケース。
【請求項６】
箱体の周面が、折り目を介して折曲・伸展可能である４つの側面により形成され、箱体を平らに折り畳んで、箱体の開口部と対向する側面が、周面を形成する各側面の内側に折り込まれる請求項４または５に記載の折り畳み可能なケース。
【請求項７】
上方に開口部を備えた箱体の底面が、底面の対角線に沿って分離可能である引き出しと、側方に開口部を備えた箱体の開口部と対向する側面が、側面の対角線に沿って分離可能であるケースとから成り、引き出しをケース内に出し入れ自在に配置したことを特徴とする折り畳み可能な収納箱。
【請求項８】
引き出しにおける底面の対角線とケースにおける側面の対角線に沿ってファスナーを配設し、ファスナーを介して引き出しの底面とケースの側面がそれぞれ分離可能である請求項７に記載の折り畳み可能な収納箱。
【請求項９】
引き出しは、箱体の周面が折り目を介して折曲・伸展可能である４つの側面により形成され、箱体を平らに折り畳んで、底面が周面を形成する各側面の内側に折り込まれる請求項７または８に記載の折り畳み可能な収納箱。
【請求項１０】
引き出しにおける分離可能な箱体の底面は、対角線の位置から角部に向けて折り目を有し、この折り目を折曲して折り込まれる請求項７乃至９のいずれかに記載の折り畳み可能な収納箱。
【請求項１１】
ケースは、箱体の周面が折り目を介して折曲・伸展可能である４つの側面により形成され、箱体を平らに折り畳んで、箱体の開口部と対向する側面が、周面を形成する各側面の内側に折り込まれる請求項７または８に記載の折り畳み可能な収納箱。
【請求項１２】
ケースにおける分離可能な箱体の側面は、対角線の位置から角部に向けて折り目を有し、この折り目を折曲して折り込まれる請求項７または８、請求項１１のいずれかに記載の折り畳み可能な収納箱。
【請求項１３】
引き出しにおける箱体の底面と、ケースにおける箱体の開口部と対向する側面を、柔軟性素材を用いて形成した請求項７乃至１２のいずれかに記載の折り畳み可能な収納箱。
【考案の詳細な説明】
【技術分野】
【０００１】
本考案は、小物等を収納すると共に、極めて簡単な操作で誰もが即座に折り畳んだり立体的に組み立てることができ、また、立体的に組み立てた状態の堅牢性を充分に維持することのできる折り畳み可能な引き出し・ケースと、引き出しをケース内に出し入れ自在に配置した折り畳み可能な収納箱に関するものである。
【背景技術】
【０００２】
従来より、所定の小物等を収納する箱として、種々の構造のものが提案されている。例えば、軟性の布によって形成され、上方に開口部を有する直方体形状の箱本体と、前記箱本体の上方の辺部に設けられている４つの水平棒と、前記箱本体の垂直辺部に設けられている４つの立棒と、前記箱本体の底面に設けられている底板と、前記箱本体の上方を覆うため前記箱本体の上方に設けられ、前記箱本体の上方の一辺部と接続されるカバーと、前記箱本体の他辺部と前記カバーとを接続するファスナーとを備える箱がある（特許文献１参照）。
【特許文献１】実用新案登録第３０６７９０７号公報
【考案の開示】
【考案が解決しようとする課題】
【０００３】
しかしながら、上述した従来の箱においては、箱本体が４本の立棒及び４本の水平棒によって支持されているものの、立棒と水平棒等の連結関係が存在しないため、立体的に組み立てた箱本体の堅牢性を充分に維持できない問題点があった。
【０００４】
すなわち、従来の箱における箱本体は、立体的に組み立てた状態において、外部から僅かな力が加えられると、箱本体が倒れて箱の全体がつぶれ易かった。また、外部から僅かな力が加えられた場合であっても、開口部を有する面を捩るようにして立棒が傾斜してしまい、使用者が意図していないのに箱本体が偏平状になってしまう弊害が生じていた。
【０００５】
そこで、本考案は如上のような従来存した諸事情に鑑み創案されたもので、極めて簡単な操作で誰もが即座に折り畳んだり立体的に組み立てることができ、また、立体的に組み立てた状態の堅牢性を充分に維持することのできる折り畳み可能な引き出し・ケースと、引き出しをケース内に出し入れ自在に配置した折り畳み可能な収納箱を提供することを目的とする。
【課題を解決するための手段】
【０００６】
上述した目的を達成するため、本考案に係る折り畳み可能な引き出しは、上方に開口部を備えた箱体の底面が、底面の対角線に沿って分離可能であることで、上述した課題を解決した。
【０００７】
また、箱体の底面の対角線に沿ってファスナーを配設し、ファスナーを介して底面が分離可能であることで、同じく上述した課題を解決した。
【０００８】
さらに、箱体の周面が、折り目を介して折曲・伸展可能である４つの側面により形成され、箱体を平らに折り畳んで、底面が周面を形成する各側面の内側に折り込まれることで、同じく上述した課題を解決した。
【０００９】
本考案に係る折り畳み可能なケースは、側方に開口部を備えた箱体の開口部と対向する側面が、側面の対角線に沿って分離可能であることで、同じく上述した課題を解決した。
【００１０】
また、箱体の開口部と対向する側面の対角線に沿ってファスナーを配設し、ファスナーを介して側面が分離可能であることで、同じく上述した課題を解決した。
【００１１】
さらに、箱体の周面が、折り目を介して折曲・伸展可能である４つの側面により形成され、箱体を平らに折り畳んで、箱体の開口部と対向する側面が、周面を形成する各側面の内側に折り込まれることで、同じく上述した課題を解決した。
【００１２】
本考案に係る折り畳み可能な収納箱は、上方に開口部を備えた箱体の底面が、底面の対角線に沿って分離可能である引き出しと、側方に開口部を備えた箱体の開口部と対向する側面が、側面の対角線に沿って分離可能であるケースとから成り、引き出しをケース内に出し入れ自在に配置したことで、同じく上述した課題を解決した。
【００１３】
また、引き出しにおける底面の対角線とケースにおける側面の対角線に沿ってファスナーを配設し、ファスナーを介して引き出しの底面とケースの側面がそれぞれ分離可能であることで、同じく上述した課題を解決した。
【００１４】
さらに、引き出しは、箱体の周面が折り目を介して折曲・伸展可能である４つの側面により形成され、箱体を平らに折り畳んで、底面が周面を形成する各側面の内側に折り込まれることで、同じく上述した課題を解決した。
【００１５】
また、引き出しにおける分離可能な箱体の底面は、対角線の位置から角部に向けて折り目を有し、この折り目を折曲して折り込まれることで、同じく上述した課題を解決した。
【００１６】
加えて、ケースは、箱体の周面が折り目を介して折曲・伸展可能である４つの側面により形成され、箱体を平らに折り畳んで、箱体の開口部と対向する側面が、周面を形成する各側面の内側に折り込まれることで、同じく上述した課題を解決した。
【００１７】
また、ケースにおける分離可能な箱体の側面は、対角線の位置から角部に向けて折り目を有し、この折り目を折曲して折り込まれることで、同じく上述した課題を解決した。
【００１８】
この他、引き出しにおける箱体の底面と、ケースにおける箱体の開口部と対向する側面を、柔軟性素材を用いて形成したことで、同じく上述した課題を解決した。
【考案の効果】
【００１９】
本考案に係る折り畳み可能な引き出しＡは、上方に開口部１を備えた箱体２の底面３が、底面３の対角線４に沿って分離可能であることから、この底面３を分離させて箱体２の内部に折り込むことによって、箱体２を簡単に折り畳むことができる。
【００２０】
また、箱体２の底面３の対角線４に沿ってファスナー５を配設し、ファスナー５を介して底面３が分離可能であることから、底面３の分離・結合が極めて容易である。従って、誰もが極めて簡単な操作により底面３を分離・結合させて、箱体２を折り畳んだり、箱体２を立体的に組み立てることができる。
【００２１】
さらに、箱体２の周面が、折り目６を介して折曲・伸展可能である４つの側面７ａ・７ｂ・８ａ・８ｂにより形成され、箱体２を平らに折り畳んで、底面３が周面を形成する各側面７ａ・７ｂ・８ａ・８ｂの内側に折り込まれるので、底面３が必要以上に外部に突出することがなく、可能な限りコンパクトな状態で箱体２を平らに折り畳むことができる。
【００２２】
そして、箱体２を立体的に組み立てて、ファスナー５を介して底面３を結合させたときは、所定の角度に配置された側面７ａ・８ａ・７ｂ・８ｂが、結合した底面３により、その角度を変えることがなく、使用者の意思に反して側面７ａ・８ａ・７ｂ・８ｂが折り畳まれたり、底面３が折り込まれてしまう事態の発生を確実に阻止し、引き出しＡの堅牢性を維持している。
【００２３】
一方、本考案に係る折り畳み可能なケースＢは、側方に開口部２１を備えた箱体２２の開口部２１と対向する側面２３が、側面２３の対角線２４に沿って分離可能であることから、この側面２３を分離させて箱体２２の内部に折り込むことによって、箱体２２を簡単に折り畳むことができる。
【００２４】
また、箱体２２の開口部２１と対向する側面２３の対角線２４に沿ってファスナー２５を配設し、ファスナー２５を介して側面２３が分離可能であることから、側面２３の分離・結合が極めて容易である。従って、誰もが極めて簡単な操作により側面２３を分離・結合させて、箱体２２を折り畳んだり、箱体２２を立体的に組み立てることができる。
【００２５】
さらに、箱体２２の周面が、折り目２６を介して折曲・伸展可能である４つの側面２７ａ・２７ｂ・２８ａ・２８ｂにより形成され、箱体２２を平らに折り畳んで、箱体２２の開口部２１と対向する側面２３が、周面を形成する各側面２７ａ・２７ｂ・２８ａ・２８ｂの内側に折り込まれるので、側面２３が必要以上に外部に突出することがなく、可能な限りコンパクトな状態で箱体２２を平らに折り畳むことができる。
【００２６】
そして、箱体２２を立体的に組み立て、ファスナー２５を介して側面２３を結合させたときには、所定の角度に配置された側面２７ａ・２８ａ・２７ｂ・２８ｂが、結合した側面２３により、その角度を変えることがなく、使用者の意思に反して側面２７ａ・２８ａ・２７ｂ・２８ｂが折り畳まれたり、側面２３が折り込まれてしまう事態の発生を確実に阻止し、ケースＢの堅牢性を維持している。
【００２７】
この他、本考案に係る折り畳み可能な収納箱Ｃは、上方に開口部１を備えた箱体２の底面３が、底面３の対角線４に沿って分離可能である引き出しＡと、側方に開口部２１を備えた箱体２２の開口部２１と対向する側面２３が、側面２３の対角線２４に沿って分離可能であるケースＢとから成り、引き出しＡをケースＢ内に出し入れ自在に配置したことから、引き出しＡの内部に小物等を入れ、引き出しＡをケースＢ内に配置したときには、引き出しＡに入れた小物等を密閉状態にして保管できる。また、引き出しＡをケースＢから簡単に引き出すことで、引き出しＡに入れた小物等の取り出しも容易である。
【００２８】
さらに、立体的に組み立てた引き出しＡ・ケースＢのそれぞれが、単独においても堅牢性を備えているので、引き出しＡをケースＢ内に配置して引き出しＡとケースＢを組み合わせたことで、収納箱Ｃの堅牢性をより一層維持することができる。
【００２９】
そして、引き出しＡにおける分離可能な箱体２の底面３は、対角線４の位置から角部９に向けて折り目１０ａ・１０ｂを有し、この折り目１０ａ・１０ｂを折曲して折り込まれるので、底面３を箱体２の内部に滑らかに折り込むことができる。
【００３０】
また、ケースＢにおける分離可能な箱体２２の側面２３は、対角線２４の位置から角部２９に向けて折り目３０ａ・３０ｂを有し、この折り目３０ａ・３０ｂを折曲して折り込まれるので、側面２３を箱体２２の内部に滑らかに折り込むことができる。
【００３１】
さらに、引き出しＡにおける箱体２の底面３と、ケースＢにおける箱体２２の開口部２１と対向する側面２３を、柔軟性素材を用いて形成してあるため、底面３の折り込み、側面２３の折り込みが滑らかで、誰もが簡単に引き出しＡとケースＢを折り畳むことができる。
【考案を実施するための最良の形態】
【００３２】
以下に、図面を参照して本考案を実施するための最良の形態を説明する。
【００３３】
本考案に係る折り畳み可能な引き出しＡは、図１に示すように、上方に開口部１を備えた箱体２の底面３が、底面３の対角線４に沿って分離可能に形成されている。具体的には、箱体２における底面３の対角線４に沿ってファスナー５を配設し、ファスナー５を介して底面３が分離可能に形成されている。
【００３４】
箱体２の底面３は、図２に示すように、全体が長方形状に形成され、ファスナー５を介して、２つの直角三角形部分３Ａ・３Ｂが分離可能になっている。
【００３５】
また、箱体２の周面は、折り目６を介して折曲・伸展可能である４つの側面７ａ・７ｂ・８ａ・８ｂにより形成され、箱体２を平らに折り畳んだときに、底面３（３Ａ・３Ｂ）が、周面を形成する各側面７ａ・７ｂ・８ａ・８ｂの内側に折り込まれる。
【００３６】
箱体２の周面は、２つの長尺状の側面７ａ・７ｂと、２つの短尺状の側面８ａ・８ｂにより全体が長方形状に形成され、側面７ａ・８ｂ，側面７ｂ・８ａの下端部には、分離可能な直角三角形部分３Ａ・３Ｂを備え、上方には、長方形状の開口部１を備えている。
【００３７】
さらに、引き出しＡにおける分離可能な箱体２の底面３（３Ａ・３Ｂ）は、図２に示すように、対角線４の位置から直角三角形部分３Ａ・３Ｂの角部９に向けて折り目１０ａ・１０ｂを有し、この折り目１０ａ・１０ｂを折曲して折り込まれるようになっている。
【００３８】
すなわち、底面３を形成する直角三角形部分３Ａは、折り目１０ａを介して、大三角形部分３Ａａと小三角形部分３Ａｂが連接されている。また、底面３を形成する直角三角形部分３Ｂも、折り目１０ｂを介して、大三角形部分３Ｂａと小三角形部分３Ｂｂが連接されている。この底面３は、布製等の柔軟性素材を用いて形成されている。
【００３９】
直角三角形部分３Ａを形成している大三角形部分３Ａａは、折り目１１を介して側面７ａの下端部に取り付けられている。また、小三角形部分３Ａｂは、折り目１２を介して側面８ｂの下端部に取り付けられている。
【００４０】
一方、直角三角形部分３Ｂを形成している大三角形部分３Ｂａも、折り目１１を介してもう一方の側面７ｂの下端部に取り付けられている。また、小三角形部分３Ｂｂも、折り目１２を介してもう一方の側面８ａの下端部に取り付けられている。
【００４１】
この他、引き出しＡは、図１に示すように、底面３に載置される補強板１３を備えている。この補強板１３は、開口部１や底面３よりも若干小さく形成され、箱体２の開口部１から挿入可能になっている。補強板１３は、つまみ片１４を取り付けてあり、底面３（３Ａ・３Ｂ）に載置している補強板１３の持ち上げを容易なものとしている。また、引き出しＡにおける箱体２の側面８ａにも、つまみ片１５が取り付けられている。
【００４２】
以下に、引き出しＡの折り畳みについて詳述する。
【００４３】
引き出しＡを組み立てた完成状態においては、図１に示すように、側面７ａ・８ａ・７ｂ・８ｂがそれぞれ９０度の角度で連結され、箱体２の底面３を形成する直角三角形部分３Ａ・３Ｂがファスナー５を介して結合している。
【００４４】
この引き出しＡを折り畳むときは、補強板１３を取り外してから、図２に示すように箱体２を倒し、底面３のファスナー５の引き手１６を手で掴んでファスナー５の滑り金具を移動させる。すると、図３に示すように、ファスナー５の歯が開いた状態となり、底面３を形成する直角三角形部分３Ａ・３Ｂが分離する。
【００４５】
この状態において、図４に示すように、上方に位置する側面７ａを、左方に移動させる。すると、ファスナー５の両端部に位置する一対の折り目６は開き、他の一対の折り目６は閉じるものとなる。これにより、側面７ａ・８ａ，側面７ｂ・８ｂは、伸展状態になる。これと同時に、側面７ａ・８ｂ，側面７ｂ・８ａは、折曲状態になる。その結果、側面７ａ・８ａ，側面７ｂ・８ｂ同士が、伸展状態になりながら互いに近づくように移動する。
【００４６】
すると、底面３は、図４に示すように、直角三角形部分３Ａ・３Ｂ同士が次第に距離をあけるように分離しながら、直角三角形部分３Ａの折り目１０ａが谷折り状に折り込まれ、大三角形部分３Ａａが折り目１１を介して側面７ａに近接し、小三角形部分３Ａｂが折り目１２を介して側面８ｂに近接する。
【００４７】
同様に、直角三角形部分３Ｂの折り目１０ｂが谷折り状に折り込まれ、大三角形部分３Ｂａが折り目１１を介して側面７ｂに近接し、小三角形部分３Ｂｂが折り目１２を介して側面８ａに近接する。
【００４８】
この状態を箱体２の開口部１側から見ると、図５に示すように、直角三角形部分３Ａを形成する大三角形部分３Ａａと小三角形部分３Ａｂが、折り目１０ａを介して開口部１に近づくように突出してくる。同様に、直角三角形部分３Ｂを形成する大三角形部分３Ｂａと小三角形部分３Ｂｂも、折り目１０ｂを介して開口部１に近づくように突出してくる。
【００４９】
そして、最終的に、図６に示すように、箱体２が平らに折り畳まれる。このとき、底面３を形成する直角三角形部分３Ａ・３Ｂは、伸展状態になっている側面７ａ・８ａ，側面７ｂ・８ｂの内側に完全に折り込まれる。直角三角形部分３Ａ・３Ｂは、角部９と反対側に位置する折り目１０ａ・１０ｂの端部同士が大きく離れた状態となり、直角三角形部分３Ａは折曲状態になっている側面７ａ・８ｂの内側に、また、直角三角形部分３Ｂは折曲状態になっている側面７ｂ・８ａの内側に折り込まれる。
【００５０】
引き出しＡの組み立てについては、前述した引き出しＡの折り畳み工程を反対にたどるものである。
【００５１】
そして、図１に示すように、引き出しＡを組み立てた完成状態において、ファスナー５を介して底面３を形成する直角三角形部分３Ａ・３Ｂが結合することにより、９０度の角度に配置された側面７ａ・８ａ・７ｂ・８ｂが、結合した直角三角形部分３Ａ・３Ｂにより、その角度を変えることがなく、使用者の意思に反して側面７ａ・８ａ・７ｂ・８ｂが折り畳まれたり、底面３（３Ａ・３Ｂ）が折り込まれてしまう事態の発生を確実に阻止し、引き出しＡの堅牢性を維持している。
【００５２】
一方、本考案に係る折り畳み可能なケースＢは、図１に示すように、側方に開口部２１を備えた箱体２２の開口部２１と対向する側面２３が、側面２３の対角線２４に沿って分離可能に形成されている。具体的には、箱体２２の開口部２１と対向する側面２３の対角線２４に沿ってファスナー２５を配設し、ファスナー２５を介して側面２３が分離可能に形成されている。
【００５３】
箱体２２の側面２３は、図７に示すように、全体が長方形状に形成され、ファスナー２５を介して、２つの直角三角形部分２３Ａ・２３Ｂが分離可能になっている。
【００５４】
また、箱体２２の周面は、折り目２６を介して折曲・伸展可能である４つの側面２７ａ・２７ｂ・２８ａ・２８ｂにより形成され、箱体２２を平らに折り畳んだときに、箱体２２の開口部２１と対向する側面２３（２３Ａ・２３Ｂ）が、周面を形成する各側面２７ａ・２７ｂ・２８ａ・２８ｂの内側に折り込まれる。
【００５５】
箱体２２の周面は、２つの長尺状の側面２７ａ・２７ｂと、２つの短尺状の側面２８ａ・２８ｂにより形成され、側面２７ａ・２８ａ，側面２７ｂ・２８ｂの一端部には、分離可能な側面２３を備え、他端部には、長方形状の開口部２１を備えている。
【００５６】
さらに、ケースＢにおける分離可能な箱体２２の側面２３（２３Ａ・２３Ｂ）は、図７に示すように、対角線２４の位置から直角三角形部分２３Ａ・２３Ｂの角部２９に向けて折り目３０ａ・３０ｂを有し、この折り目３０ａ・３０ｂを折曲して折り込まれるようになっている。
【００５７】
すなわち、側面２３を形成する直角三角形部分２３Ａは、折り目３０ａを介して、大三角形部分２３Ａａと小三角形部分２３Ａｂが連接されている。また、側面２３を形成する直角三角形部分２３Ｂも、折り目３０ｂを介して、大三角形部分２３Ｂａと小三角形部分２３Ｂｂが連接されている。この側面２３は、布製等の柔軟性素材を用いて形成されている。
【００５８】
直角三角形部分２３Ａを形成している大三角形部分２３Ａａは、折り目３１を介して側面２７ａの一端部に取り付けられている。また、小三角形部分２３Ａｂは、折り目３２を介して側面２８ａの一端部に取り付けられている。
【００５９】
一方、直角三角形部分２３Ｂを形成している大三角形部分２３Ｂａも、折り目３１を介してもう一方の側面２７ｂの一端部に取り付けられている。また、小三角形部分２３Ｂｂも、折り目３２を介してもう一方の側面２８ｂの一端部に取り付けられている。
【００６０】
この他、ケースＢは、図１に示すように、引き出しＡをケースＢ内に出し入れ自在に配置するものである。従って、ケースＢは、引き出しＡよりも若干大きく形成されている。
【００６１】
以下に、ケースＢの折り畳みについて詳述する。
【００６２】
ケースＢを組み立てた完成状態においては、図１に示すように、側面２７ａ・２８ａ・２７ｂ・２８ｂがそれぞれ９０度の角度で連結され、箱体２２の開口部２１と対向する側面２３を形成する直角三角形部分２３Ａ・２３Ｂがファスナー２５を介して結合している。
【００６３】
このケースＢを折り畳むときは、図７に示すように箱体２２を倒し、側面２３のファスナー２５の引き手３３を手で掴んでファスナー２５の滑り金具を移動させる。すると、図８に示すように、ファスナー２５の歯が開いた状態となり、側面２３を形成する直角三角形部分２３Ａ・２３Ｂが分離する。
【００６４】
この状態において、図９に示すように、上方に位置する側面２７ａを、右方に移動させる。すると、ファスナー２５の両端部に位置する一対の折り目２６は開き、他の一対の折り目２６は閉じるものとなる。これにより、側面２７ａ・２８ｂ，側面２７ｂ・２８ａは、伸展状態になる。これと同時に、側面２７ａ・２８ａ，側面２７ｂ・２８ｂは、折曲状態になる。その結果、側面２７ａ・２８ｂ，側面２７ｂ・２８ａ同士が、伸展状態になりながら互いに近づくように移動する。
【００６５】
すると、側面２３は、図９に示すように、直角三角形部分２３Ａ・２３Ｂ同士が次第に距離をあけるように分離しながら、直角三角形部分２３Ａの折り目３０ａが谷折り状に折り込まれ、大三角形部分２３Ａａが折り目３１を介して側面２７ａに近接し、小三角形部分２３Ａｂが折り目３２を介して側面２８ａに近接する。
【００６６】
同様に、直角三角形部分２３Ｂの折り目３０ｂが谷折り状に折り込まれ、大三角形部分２３Ｂａが折り目３１を介して側面２７ｂに近接し、小三角形部分２３Ｂｂが折り目３２を介して側面２８ｂに近接する。
【００６７】
この状態を箱体２２の開口部２１側から見ると、図１０に示すように、直角三角形部分２３Ａを形成する大三角形部分２３Ａａと小三角形部分２３Ａｂが、折り目３０ａを介して開口部２１に近づくように突出してくる。同様に、直角三角形部分２３Ｂを形成する大三角形部分２３Ｂａと小三角形部分２３Ｂｂも、折り目３０ｂを介して開口部２１に近づくように突出してくる。
【００６８】
そして、最終的に、図１１に示すように、箱体２２が平らに折り畳まれる。このとき、側面２３を形成する直角三角形部分２３Ａ・２３Ｂは、伸展状態になっている側面２７ａ・２８ｂ，側面２７ｂ・２８ａの内側に完全に折り込まれる。直角三角形部分２３Ａ・２３Ｂは、角部２９と反対側に位置する折り目３０ａ・３０ｂの端部同士が大きく離れた状態となり、直角三角形部分２３Ａは折曲状態になっている側面２７ａ・２８ａの内側に、また、直角三角形部分２３Ｂは折曲状態になっている側面２７ｂ・２８ｂの内側に折り込まれる。
【００６９】
ケースＢの組み立てについては、前述したケースＢの折り畳み工程を反対にたどるものである。
【００７０】
そして、図１に示すように、ケースＢを組み立てた完成状態において、ファスナー２５を介して側面２３を形成する直角三角形部分２３Ａと２３Ｂが結合することにより、９０度の角度に配置された側面２７ａ・２８ａ・２７ｂ・２８ｂが、結合した直角三角形部分２３Ａ・２３Ｂにより、その角度を変えることがなく、使用者の意思に反して側面２７ａ・２８ａ・２７ｂ・２８ｂが折り畳まれたり、側面２３（２３Ａ・２３Ｂ）が折り込まれてしまう事態の発生を確実に阻止し、ケースＢの堅牢性を維持している。
【００７１】
本考案に係る折り畳み可能な収納箱Ｃは、前述した引き出しＡとケースＢを組み合わせたものである。この折り畳み可能な収納箱Ｃは、図１に示すように、上方に開口部１を備えた箱体２の底面３が、底面３の対角線４に沿って分離可能である引き出しＡと、側方に開口部２１を備えた箱体２２の開口部２１と対向する側面２３が、側面２３の対角線２４に沿って分離可能であるケースＢとから成り、引き出しＡをケースＢ内に出し入れ自在に配置したものである。
【００７２】
尚、引き出しＡとケースＢそれぞれの構成は、前述した通りであるので、詳細な説明を省略する。
【産業上の利用可能性】
【００７３】
本考案は、小物等を収納する引き出しＡ、ケースＢ、また、引き出しＡをケースＢ内に出し入れ自在に配置した収納箱Ｃとして、種々の用途に広く利用することができる。
【図面の簡単な説明】
【００７４】
【図１】立体的に組み立てた引き出しを、立体的に組み立てたケース内に配置する状態を示した収納箱の分解斜視図である。
【図２】引き出しの底面（直角三角形部分）が、ファスナーを介して結合している状態を示した斜視図である。
【図３】引き出しの底面（直角三角形部分）が、ファスナーを介して分離している状態を示した斜視図である。
【図４】引き出しを折り畳んでいる途中の状態を示した斜視図である。
【図５】引き出しを折り畳んでいる途中の状態を、箱体の開口部側から見た斜視図である。
【図６】引き出しを平らに折り畳んだ状態を示した斜視図である。
【図７】ケースの側面（直角三角形部分）が、ファスナーを介して結合している状態を示した斜視図である。
【図８】ケースの側面（直角三角形部分）が、ファスナーを介して分離している状態を示した斜視図である。
【図９】ケースを折り畳んでいる途中の状態を示した斜視図である。
【図１０】ケースを折り畳んでいる途中の状態を、箱体の開口部側から見た斜視図である。
【図１１】ケースを平らに折り畳んだ状態を示した斜視図である。
【符号の説明】
【００７５】
Ａ…引き出し                    Ｂ…ケース
Ｃ…収納箱
１…開口部                      ２…箱体
３…底面
３Ａ…直角三角形部分            ３Ｂ…直角三角形部分
３Ａａ…大三角形部分            ３Ａｂ…小三角形部分
３Ｂａ…大三角形部分            ３Ｂｂ…小三角形部分
４…対角線                      ５…ファスナー
６…折り目
７ａ…側面                      ７ｂ…側面
８ａ…側面                      ８ｂ…側面
９…角部                        １０ａ…折り目
１０ｂ…折り目                  １１…折り目
１２…折り目                    １３…補強板
１４…つまみ片                  １５…つまみ片
１６…引き手
２１…開口部                    ２２…箱体
２３…側面
２３Ａ…直角三角形部分          ２３Ｂ…直角三角形部分
２３Ａａ…大三角形部分          ２３Ａｂ…小三角形部分
２３Ｂａ…大三角形部分          ２３Ｂｂ…小三角形部分
２４…対角線                    ２５…ファスナー
２６…折り目
２７ａ…側面                    ２７ｂ…側面
２８ａ…側面                    ２８ｂ…側面
２９…角部                      ３０ａ…折り目
３０ｂ…折り目                  ３１…折り目
３２…折り目                    ３３…引き手
【図１】
0003108533.tif 000003
【図２】
0003108533.tif 000004
【図３】
0003108533.tif 000005
【図４】
0003108533.tif 000006
【図５】
0003108533.tif 000007
【図６】
0003108533.tif 000008
【図７】
0003108533.tif 000009
【図８】
0003108533.tif 000010
【図９】
0003108533.tif 000011
【図１０】
0003108533.tif 000012
【図１１】
0003108533.tif 000013